(57)【特許請求の範囲】
【請求項１】
吸込水槽上部の床に設けたポンプ挿入穴にポンプを挿入することで前記吸込水槽内にポンプを設置し、このポンプの周囲を囲んで上下動自在に空気吸込渦防止用の浮きを取り付けてなるポンプの空気吸込渦防止装置において、
前記浮きは前記ポンプ挿入穴より挿入・取り出しされる寸法の複数の部分に分割され、且つ相互に固定することで１つの浮きとなって前記ポンプ挿入穴の内径よりも大きい外径となる構造に構成されていることを特徴とするポンプの空気吸込渦防止装置。
【請求項２】
前記ポンプには、このポンプの外方に向けて張り出すことで前記浮きがポンプの下部から外れるのを防止するストッパーを設けたことを特徴とする請求項１に記載のポンプの空気吸込渦防止装置。
【発明の詳細な説明】
【０００１】
【発明の属する技術分野】
本発明は浮きによるポンプの空気吸込渦防止装置に関するものである。
【０００２】
【従来の技術】
従来、ポンプ場では、図４に示すように、吸込水槽８０内にポンプ（立軸ポンプ）８５を設置し、ポンプ８５を駆動することで吸込水槽８０内に流れ込んでくる水を所定の場所に排水している。
【０００３】
一方近年、既設のポンプ場を更新する際、新規のポンプ８５としてその吐出量を増量する場合があった。また新設のポンプ場においても吸込水槽８０をコンパクトにする必要性が高くなってきた。そしてこのように吸込水槽８０に対してポンプ８５の吐出量が相対的に増大すると、ポンプ８５運転時に吸込水槽８０内の水の自由表面に空気吸込渦が発生し易くなり、この渦がポンプの吸込ベルマウス８７に到達して空気を吸い込む恐れがあり、その対策が重要となっていた。
【０００４】
そして従来はこの空気吸込渦の発生を防止するため、土木構造に渦流防止壁を設置する方法などがあった。しかしながらこの方法の場合、既設のポンプ場に渦流防止壁を設置するのでその土木工事のためにポンプ場を所定期間停止しなければならない。このためポンプ場を停止することなく簡易に空気吸込渦の発生を防止する方法として図４に示す浮き板８９が利用されていた。即ち浮き板８９は、図４に示すようにポンプ８５の周囲を囲むように取り付けられ、自由渦の発生し易いポンプ８５周辺の水面をこの浮き板８９で覆って自由渦の発生を防止するようにするのである。
【０００５】
しかしながら吸込水槽８０の床８１に設けたポンプ挿入穴８３は、ポンプ８５挿入に必要な大きさに形成されているので、ポンプ挿入穴８３よりもかなり径の大きい浮き板８９をポンプ挿入穴８３から挿入することは困難であり、その取り付け、取り外しが困難であるという問題点があった。
【０００６】
【発明が解決しようとする課題】
本発明は上述の点に鑑みてなされたものでありその目的は、ポンプへの取り付け、取り外しが容易なポンプの空気吸込渦防止装置を提供することにある。
【０００８】
【課題を解決するための手段】
上記問題点を解決するため本発明は、吸込水槽上部の床に設けたポンプ挿入穴にポンプを挿入することで前記吸込水槽内にポンプを設置し、このポンプの周囲を囲んで上下動自在に空気吸込渦防止用の浮きを取り付けてなるポンプの空気吸込渦防止装置において、前記浮きは前記ポンプ挿入穴より挿入・取り出しされる寸法の複数の部分に分割され、且つ相互に固定することで１つの浮きとなって前記ポンプ挿入穴の内径よりも大きい外径となる構造に構成されていることを特徴とする。この浮きは分割することで小さくできるので、同様にポンプ挿入穴から容易に挿入・取り出しできる。
【０００９】
なお前記ポンプが複数台の場合は、前記分割可能な浮きに各ポンプを挿通する複数の孔を設けることも可能である。
【００１０】
【発明の実施の形態】
以下、本発明の実施の形態を図面を参照して詳細に説明する。
図１は本発明の参考例にかかる浮きを用いたポンプ設備の一例を示す図であり、同図（ａ）は概略側断面図、同図（ｂ），同図（ｃ）は同図（ａ）のＡ−Ａ矢視図である。同図に示すようにこのポンプ設備は、床５１に設けたポンプ挿入穴５２の上にポンプ台板５３を固定し、その上に電動機架台１５を介して電動機（駆動手段）１７を設置し、一方前記ポンプ台板５３に固定した吐出エルボ１９の下端に吊下げ管２１と吐出ボウル２３と吸込ベルマウス２５とを取り付け、吐出エルボ１９の吐出側に吐出管３１を取り付けて構成されている。
【００１１】
そして本参考例においては、以上のようにして吸込水槽５５内に設置したポンプ（立軸ポンプ）１０の周囲を囲んで上下動自在に空気吸込渦防止用の浮き４０を取り付けている。
【００１２】
この浮き４０は、内部に空気（水より比重の小さい流体）を充填することで略ドーナツ形状に膨張する浮き袋で構成されている。浮き４０にはポンプ１０を上下動自在に挿入する挿入穴４７が設けられている。なお浮き４０の形状は同図（ｂ）に示すようなドーナツ形状に限定されず、同図（ｃ）のようなポンプに挿入しやすい「Ｃ」型でも良く、さらに同図（ｃ）のように形成すると「Ｃ」形状の切れ目の部分からこの浮き４０をポンプ１０に装着し、その後空気を入れることで容易にその取り付けができる。またその取り外しも容易に行える。矩形状や多角形状など、他の種々の形状であってもよい。
【００１３】
そして電動機１７を駆動すれば、吸込ベルマウス２５内に設置された図示しない羽根車が回転駆動することで、吸込水槽５５内の水は吸込ベルマウス２５から吸い込まれ、吐出管３１から吐き出されていく。
【００１４】
そしてポンプの運転により吸込水槽５５内の水位が下がってその水面に自由渦が発生しようとするが、ポンプ周囲の水面は浮き４０によって塞がれているので自由渦は発生せず、従って空気吸込渦が吸込ベルマウス２５から吸い込まれてポンプ運転に支障をきたすことはない。
【００１５】
ところで浮き４０を取り付けるのは、浮き４０のない既設のポンプを取り外して吐出量を増量した新たなポンプ１０を取り付ける際に新たに取り付ける場合や、予め取り付けておいた浮き４０をポンプ１０と共に取り替える場合や、新設したポンプ場にポンプ１０と共に取り付ける場合等がある。そしてこのような場合は、この浮き４０をポンプ挿入穴５２から挿入したり取り出したりする必要があるが、本実施形態の浮き４０は、内部の空気を抜くことで容易に小さくできるので、例え膨張させた際の外径がポンプ挿入穴５２の内径より大きくても、前記挿入、取り出しは極めて容易に行なえる。
【００１６】
図２は本発明の実施形態にかかる浮き４０−２を用いたポンプ設備の一例を示す図であり、同図（ａ）は概略側断面図、同図（ｂ）は同図（ａ）のＢ−Ｂ矢視図である。このポンプ設備において前記図１に示す参考例と相違する点は、浮き４０−２の構造だけである。
【００１７】
即ちこの実施形態にかかる浮き４０−２は、水よりも比重の小さい材料からなる板体で構成されており、且つ３つの部分４０Ａ，４０Ｂ，４０Ｃに分割され、それぞれの分割部分に設けたフランジ４５同士をボルト・ナット等の固定手段４６で相互に固定することで１つの浮き４０−２を構成するように構成されている。浮き４０−２にはポンプ１０を上下動自在に挿入する挿入穴４７が設けられている。
【００１８】
浮き４０−２をこのように分割可能に構成すれば、前記参考例と同様に、ポンプ挿入穴５２からの挿入、取り出しが極めて容易に行なえる。
【００１９】
図３は本発明の他の実施形態にかかる浮き４０−３を用いたポンプ設備の一例を示す図であり、同図（ａ）は概略側断面図、同図（ｂ）は同図（ａ）のＣ−Ｃ矢視図である。このポンプ設備において前記図１，図２に示す参考例，実施形態と相違する点は、同一吸込水槽５５内に複数のポンプ１０，１０を設置し、これら複数のポンプ１０，１０に１つの浮き４０−３を取り付けた点と、ポンプ１０，１０の下部に外方に向けて張り出すストッパー１１，１１を設けた点である。
【００２０】
即ちこの実施形態にかかる浮き４０−３も、前記図２に示す浮き４０−２と同様に水よりも比重の小さい材料からなる板体で構成されており、且つ８つの部分４０ａ〜４０ｈに分割され、それぞれの分割部分に設けたフランジ４５同士をボルト・ナット等の固定手段４６で相互に固定することで１つの浮き４０−３を構成するように構成されている。浮き４０−３には二台のポンプ１０，１０を上下動自在に挿入する２つの挿入穴４７，４７が設けられている。
【００２１】
この浮き４０−３の場合も、分割可能なので、前記実施形態と同様に、ポンプ挿入穴５２からの挿入、取り出しが極めて容易に行なえる。
【００２２】
またこの浮き４０−３の場合、これを支持するのが二台のポンプ１０，１０なので、その面がポンプ１０，１０の立軸に対して垂直な面に維持され易く、従って斜めに傾く恐れなどを確実に防止できる。
【００２３】
またこの浮き４０−３の場合、ストッパー１１，１１を設けたので、たとえ吸込水槽５５内の水位が極端に低下した場合でも浮き４０−３がこれに追従してポンプ１０，１０から外れるなどの問題は生じない。特にこれらのポンプ１０，１０を先行待機ポンプとして運転すると、水位は極端に低下するので、特に有効である。
【００２４】
なお設置するポンプ１０の台数は３台以上であっても良く、その場合は台数に応じて挿入穴４７を設ける。
【００２５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や材質や構造であっても、本願発明の作用・効果を奏する以上、本願発明の技術的思想の範囲内である。例えば図１に示す浮き４０に充填する流体は空気以外の気体、又は液体であってもよい。
【００２６】
【発明の効果】
以上詳細に説明したように本発明によれば、たとえ吸込水槽のポンプ挿入穴が、浮きの外径より小さいような場合でも、ポンプ挿入穴から容易に浮きの挿入・取り出しができ、ポンプへの着脱が容易に行なえるという優れた効果を奏する。
【図面の簡単な説明】
【図１】  図１（ａ）は本発明の参考例にかかる浮き４０を用いたポンプ設備の一例を示す概略側断面図であり、図１（ｂ），図１（ｃ）は図１（ａ）のＡ−Ａ矢視図である。
【図２】  図２（ａ）は本発明の実施形態にかかる浮き４０−２を用いたポンプ設備の一例を示す概略側断面図であり、図２（ｂ）は図２（ａ）のＢ−Ｂ矢視図である。
【図３】  図３（ａ）は本発明の他の実施形態にかかる浮き４０−３を用いたポンプ設備の一例を示す概略側断面図であり、図３（ｂ）は図３（ａ）のＣ−Ｃ矢視図である。
【図４】従来のポンプ設備の一例を示す概略側断面図である。
【符号の説明】
１０  ポンプ
１７  電動機（駆動手段）
１９  吐出エルボ
２１  吊下げ管
２３  吐出ボウル
２５  吸込ベルマウス
３１  吐出管
４０  浮き
４５  フランジ
４６  固定手段
４７  挿入穴
５１  床
５２  ポンプ挿入穴
５５  吸込水槽
４０−２  浮き
４０−３  浮き
１１  ストッパー
【図１】
0004005299.tif 000002
【図２】
0004005299.tif 000003
【図３】
0004005299.tif 000004
【図４】
0004005299.tif 000005